(57)【要約】      （修正有）【課題】ＡＥＤ使用可能状態をチェックするために、ＡＥＤ設置場所に出向くことなく遠隔でＡＥＤ使用可能状態を確認できるようにする。【解決手段】ＡＥＤ本体に直接接触する事なくＡＥＤ本体から出力される、ＡＥＤ使用可能状態のＬＥＤ点滅１０２方式、ＡＥＤ使用可能状態の液晶画面１０３によるＯＫマーク方式、赤外線通信１０４方式を入力回路部１０５が検出し、入力回路部１０５からその信号を制御部１０６に伝達し、制御ＣＰＵ部１０７で整理加工されたＡＥＤ使用可能状態信号を送信部１０８に伝達し、アンテナ部１０９から携帯電話電波で指定された所にメール転送する。【選択図】図１
2014200358.tif 000002
【特許請求の範囲】
【請求項１】
ＡＥＤ本体から出力されるセンサー部（１０１）は、ＡＥＤ使用可能状態のＬＥＤ点滅（１０２）、ＡＥＤ使用可能状態の液晶画面（１０３）によるＯＫマーク、赤外線通信（ＩｒＤＡ）（１０４）を検出し、ＡＥＤ監視管理者にＡＥＤ使用可能状態を伝達するＡＥＤ遠隔監視管理装置である。
【請求項２】
請求項１に記載のＡＥＤ遠隔監視管理装置であって、ＡＥＤ本体から自己点検出力としてＡＥＤ使用可能状態には、ＬＥＤ点滅（１０２）させ、ＡＥＤ使用可能状態を検知する入力回路部（１０５）を備えたＡＥＤ遠隔監視管理装置である。
【請求項３】
請求項１に記載のＡＥＤ遠隔監視管理装置であって、ＡＥＤ本体から自己点検出力としてＡＥＤ使用可能状態には、液晶画面（１０３）によるＯＫマークのＡＥＤ使用可能状態を検知する入力回路部（１０５）を備えたＡＥＤ遠隔監視管理装置である。
【請求項４】
請求項１に記載のＡＥＤ遠隔監視管理装置であって、ＡＥＤ本体から自己点検出力の赤外線通信（ＩｒＤＡ）（１０４）を検出し、ＡＥＤ使用可能状態を検知する入力回路部（１０５）を備えたＡＥＤ遠隔監視管理装置である。
【請求項５】
請求項１に記載のＡＥＤ遠隔監視管理装置であって、制御部（１０６）には入力信号を整理加工する制御ＣＰＵ部（１０７）とその信号を送信部（１０８）に伝達する機能を備えたＡＥＤ遠隔監視管理装置である。
【請求項６】
請求項１に記載のＡＥＤ遠隔監視管理装置であって、制御ＣＰＵ部（１０７）からの信号を送信部（１０８）に伝達し、ＡＥＤ監視管理者へアンテナ部（１０９）から携帯電話電波を介して伝達する機能を備えたＡＥＤ遠隔監視管理装置である。
【請求項７】
請求項１に記載のＡＥＤ遠隔監視管理装置であって、センサー部（１０１）、制御部（１０６）、送信部（１０８）、に必要な電源を供給する電池（バッテリー）（１１０）を備えたＡＥＤ遠隔監視管理装置である。
【発明の詳細な説明】
【技術分野】
【０００１】
ＡＥＤ本体は常時ＡＥＤ使用可能状態を保持しなければならないため、毎日１回はＡＥＤ使用可能状態をチェックすることが厚生労働省から指針が出ている。
しかし広範囲に設置されているＡＥＤの使用可能状態を毎日チェックするのには大変な労力を必要とする。ＡＥＤ遠隔監視管理装置が要望されている。
【背景技術】
【０００２】
ＡＥＤ使用可能状態をチェックするために、ＡＥＤ設置場所に出向くことなく遠隔でＡＥＤ使用可能状態を確認できることが期待されている。
【０００３】
ＡＥＤ本体に影響を与えず、直接接触することもなく、ＡＥＤ本体から出力される、ＡＥＤ使用可能状態のＬＥＤ点滅（１０２）、ＡＥＤ使用可能状態の液晶画面（１０３）によるＯＫマーク、赤外線通信（ＩｒＤＡ）（１０４）を入力回路部（１０５）検出し制御部（１０６）に伝達する。
【０００４】
制御部（１０６）の制御ＣＰＵ部（１０７）で整理加工されたＡＥＤ使用可能状態信号を送信部（１０８）に伝達し、アンテナ部（１０９）から携帯電話電波で指定した所にメール転送する。
【０００５】
システム全体を目的にあった装置にすることは勿論であり、尚且つ必要最小限な構築で安価な多機能なＡＥＤ遠隔監視管理装置が期待されている。
【０００６】
従来のＡＥＤ使用可能状態のチェックには、赤外線通信（ＩｒＤＡ）及びブルーツース通信で限られた情報開示しかされておらず一般的な開発が阻害されている。
【０００７】
情報管理としてホスト側（サーバー構築）が有り、システムが大きすぎているし本来、ＡＥＤ使用可能状態の確認はその監視管理者だけに直接伝達する情報でよいのに過去の状態までも管理するため、情報管理が大きくなり高価になってしまっている。
【発明の概要】
【発明が解決しようとする課題】
【０００８】
ＡＥＤ本体は常時ＡＥＤ使用可能状態を保持しなければならないため、監視管理が必要になっている。いざと言うときに使用できない状態であると死に直結しているこのために毎日のＡＥＤ使用可能状態の点検は不可欠である。
【０００９】
全体のシステムが大きすぎるがために高価になってしまうことを避け、設置されているＡＥＤが監視管理者だけに直接伝達できる仕組みにしなければ、急速な普及はむずかしいと考えられる。
【課題を解決するための手段】
【００１０】
ＡＥＤ本体に直接接触する事なくＡＥＤ本体から出力される、ＡＥＤ使用可能状態のＬＥＤ点滅（１０２）方式、ＡＥＤ使用可能状態の液晶画面（１０３）によるＯＫマーク方式、赤外線通信（ＩｒＤＡ）（１０４）方式を入力回路部（１０５）が検出し、入力回路部（１０５）からその信号を制御部（１０６）に伝達し、制御ＣＰＵ部（１０７）で整理加工されたＡＥＤ使用可能状態信号を送信部（１０８）に伝達し、アンテナ部（１０９）から携帯電話電波で指定された所にメール転送することを特徴とする方法である。
【００１１】
請求項２を解決する方法であって、ＡＥＤ本体から自己点検出力としてＡＥＤ使用可能状態には、センサー部（１０１）のＬＥＤを点滅（１０２）させ、ＡＥＤ使用可能状態を検知する入力回路部（１０５）からＡＥＤ使用可能状態を制御部（１０６）に伝達することを特徴とする方法である。
【００１２】
請求項３を解決する方法であって、ＡＥＤ本体から自己点検出力としてＡＥＤ使用可能状態には、液晶画面（１０３）によるＯＫマークのＡＥＤ使用可能状態を検知する入力回路部（１０５）からＡＥＤ使用可能状態を制御部（１０６）に伝達することを特徴とする方法である。
【００１３】
請求項４を解決する方法であって、ＡＥＤ本体から自己点検出力としてＡＥＤ使用可能状態の赤外線通信（ＩｒＤＡ）（１０４）を検知し、入力回路部（１０５）からＡＥＤ使用可能状態を制御部（１０６）に伝達することを特徴とする方法である。
【００１４】
請求項５を解決する方法であって、制御部（１０６）には制御ＣＰＵ部（１０７）が入力回路部（１０５）からの信号を整理加工し、その信号を送信部（１０８）に伝達することを特徴とした方法である。
【００１５】
請求項６を解決する方法であって、制御ＣＰＵ部（１０７）から送信部（１０８）に伝達された信号をＡＥＤ監視管理者への情報をアンテナ部（１０９）で伝達することを特徴とした方法である。
【００１６】
請求項７を解決する方法であって、センサー部（１０１）、制御部（１０６）、送信部（１０８）、に必要な電源電池（バッテリー）（１１０）を供給する事を特徴とした方法である。
【発明の効果】
【００１７】
ＡＥＤ本体は常時使用可能状態を確認するために、１日１回はＡＥＤ使用可能状態確認を行うことが厚生労働省から指針が出ている。ＡＥＤがますます広範囲に設置が進むにつれ、特にＡＥＤの効果的な使用方法として屋外設置が多くなっていく中で、人的な確認作業で目視確認で行うことは余りにも効率的でなく、自然とＡＥＤ遠隔監視管理装置の仕組みが必要不可欠となり、その効果は大きく急速に普及する効果も得られる。
【００１８】
ＡＥＤの普及台数は４０万台以上と言われておりますが、正式な台数は把握できていないのが現状です。ＡＥＤ本体の持っている温度特性のためほとんどが屋内設置となっておりますが、今後は温度管理付きの屋外型ＡＥＤ収納ボックスでの設置が認知されＡＥＤの有効的な使用方法が拡大することが予測されます。その広範囲に設置されたＡＥＤを目視で毎日ＡＥＤ使用可能状態をチェックすることは大変な労力が必要とされ、ＡＥＤの屋外設置が進めば進むほどＡＥＤ遠隔監視管理装置の必要性は増大する。
【発明を実施するための形態】
【００１９】
ＡＥＤ遠隔監視管理装置はＡＥＤ本体を収納しているソフトケース内で完結され、ＡＥＤ使用可能状態のＬＥＤ点滅（１０２）方式、ＡＥＤ使用可能状態の液晶画面（１０３）によるＯＫマーク方式、赤外線通信（ＩｒＤＡ）（１０４）方式で構成されている。
センサー部（１０１）からの信号を入力回路部（１０５）でデジタル信号化される。制御部（１０６）は制御ＣＰＵ部（１０７）で構成されている。
制御部（１０６）の整理加工された信号をＡＥＤ監視管理者に伝達するために送信部（１０８）、アンテナ部（１０９）から構成されている。
入力回路部（１０５）、制御部（１０６）、送信部（１０８）に電源を供給する電池（バッテリー）（１１０）から構成され、ＡＥＤ使用可能状態をＡＥＤ監視管理者に情報として直接伝達することが出来る。
【００２０】
ＡＥＤ本体に直接接触する事なくＡＥＤ本体から出力される情報として、センサー部（１０１）のＬＥＤ点滅（１０２）、液晶画面（１０３）によるＯＫマーク、赤外線通信（ＩｒＤＡ）（１０４）だけでＡＥＤ使用可能状態を認識しＡＥＤ監視管理者に情報として直接伝達する構成になっている。
【００２１】
ＡＥＤ本体を収納しているソフトケースは、ＡＥＤの必要なときには即座に取り出し移動しなければならないため、ＡＥＤ遠隔監視管理装置はソフトケース内で完結する装置で構成されている。
【００２２】
ＡＥＤ使用可能状態情報は、ホスト側（サーバー）を構築使用する事なく、直接ＡＥＤ監視管理者に携帯電話電波でＡＥＤ良否情報、設置場所情報を伝達する仕組みのため安価で確実な構成になっている。 
【実施例】
【００２３】
現在４０万台以上普及しているＡＥＤは、特に公共施設、駅では急速に設置が進められており、今後は商店街にも普及の兆しがある。ＡＥＤの有効的な使用方法として屋外設置が注目されており、屋外設置が普及すると広域設置となるためＡＥＤ使用可能状態のチェック作業は大変な労力を使うし困難になってくる。
【００２４】
設置されたＡＥＤ使用可能状態確認として、安価なＡＥＤ遠隔監視管理装置は容易に確実に確認できる、不可欠の要素を持っている。
【００２５】
特に一般的なＡＥＤは、パットは２年毎の交換、バッテリーは４年毎の交換、ＡＥＤ本体は５年が使用可能期間と決まっており、それらのチェック機能としても、ＡＥＤ遠隔監視管理装置は有効的な効果をもたらす。
【図面の簡単な説明】
【００２６】
【図１】図1はＡＥＤ遠隔監視管理装置の全体説明図です。
【符号の説明】
【００２７】
１０１  センサー部
ＡＥＤ本体から出力される信号は、各ＡＥＤ機種ごとに異なるため、各種のセンサーに対応している。
１０２  ＬＥＤ点滅
ＡＥＤ本体から使用可能状態をＬＥＤの点滅で告知する。
１０３  液晶画面表示
ＡＥＤ本体から使用可能状態を液晶画面のＯＫマークで告知する。
１０４  赤外線通信（ＩｒＤＡ）  
ＡＥＤ本体から使用可能状態を赤外線通信で告知する。
１０５  入力回路部
センサー部（１０１）で検出された信号を制御部（１０６）に伝達するためデジタル信号に変換する。
１０６  制御部
ＡＥＤ使用可能状態を送信部（１０８）に伝達するための信号を整理加工を行う。
１０７  制御ＣＰＵ部
入力回路部（１０５）からのデジタル信号を送信部（１０８）に伝達するため固定メッセージ、設置位置情報をメールとして転送する整理加工も行う。
１０８  送信部
制御ＣＰＵ部（１０７）で整理加工された情報を携帯電話会社の通信モジュールでメール転送をおこなう。
１０９  アンテナ部
ＡＥＤソフトケース内のＡＥＤ遠隔監視管理装置のある内蔵アンテナ。
１１０  電源（電池、バッテリー）
ＡＥＤは簡単に取り出し持ち運びできるようでなければならないため、ＡＥＤ遠隔監視管理装置はシフトケースに内蔵されており、それを駆動する電源（電池、バッテリー）も内蔵されている。
【図１】
2014200358.tif 000003